(57)【要約】      （修正有）【課題】便器に吸引機構を接続し易いトイレ、および、トイレシステムを提供する。【解決手段】トイレ１０は、底部に排水が排出される排出口３２が形成された有底の容器である便器１２と、排出口３２に接続された流入口４１、便器１２内の排水を吸引する吸引機構７０に着脱自在に接続される流出口４２、および、流入口４１と流出口４２とを繋ぐ管状の管路部４３を有する接続管路１３と、を備えている。流出口４２は、便器１２よりも高い位置に配置されている。【選択図】図２
2020180474.tif 000002
【特許請求の範囲】
【請求項１】
底部に排水が排出される排出口が形成された有底の容器である便器と、
前記排出口に接続された流入口、前記便器内の排水を吸引する吸引機構に着脱自在に接続される流出口、および、前記流入口と前記流出口とを繋ぐ管状の管路部を有する接続管路と、
を備え、
前記流出口は、前記便器よりも高い位置に配置されている、トイレ。
【請求項２】
前記流出口は、前記便器よりも後方に配置されている、請求項１に記載されたトイレ。
【請求項３】
前記流出口は、前記便器の溢れ縁よりも高い位置に配置されている、請求項１または２に記載されたトイレ。
【請求項４】
背もたれを備え、
前記流出口は、前記背もたれの前端よりも後方に配置されている。請求項１から３までの何れか１つに記載されたトイレ。
【請求項５】
前記流出口は、上方、斜め上向き、または、側方に向かって開口している、請求項１から４までの何れか１つに記載されたトイレ。
【請求項６】
前記管路部は、少なくとも１つ以上の屈曲部を備えた、請求項１から５までの何れか１つに記載されたトイレ。
【請求項７】
請求項１から６までの何れか１つに記載されたトイレと、
前記便器内の排水を吸引する吸引機構と、
を備え、
前記吸引機構は、
前記流出口に着脱自在に接続される吸引流入口を有する吸引管路と、
前記吸引管路に接続された吸引口を有する真空タンクと、
前記真空タンクに接続された真空ポンプと、
を備えた、トイレシステム。
【請求項８】
前記吸引管路、前記真空タンクおよび前記真空ポンプを支持する支持台と、
前記支持台を移動させる移動手段と、
を備えている、請求項７に記載されたトイレシステム。
【請求項９】
前記移動手段は、前記支持台の下端に設けられたキャスタである、請求項８に記載されたトイレシステム。
【請求項１０】
前記タンク排出口を開閉可能な弁を備え、
前記真空タンクは、底部に形成されたタンク排出口を有し、
前記支持台における前記真空タンクの下方には、水洗式のトイレの便器である水洗式便器が収容可能な収容空間が形成され、
前記真空タンクの前記タンク排出口は、前記収容空間に向かって開口している、請求項８または９に記載されたトイレシステム。
【請求項１１】
前記支持台には、前記収容空間と連通し、前記水洗式便器が前記支持台に対して相対的にスライドして通過可能な開口が形成されている、請求項１０に記載されたトイレシステム。
【請求項１２】
前記タンク排出口の下方、かつ、前記収容空間に配置され、前記支持台に対して着脱可能に設けられ、前記タンク排出口から垂れる排水を受ける排出側受け部を備えた、請求項１１に記載されたトイレシステム。
【請求項１３】
前記排出側受け部は、前記支持台に対してスライド可能に構成された、請求項１２に記載されたトイレシステム。
【請求項１４】
前記吸引管路は、前記真空タンクの上下の範囲内において上下に延びた縦管部を有し、
前記縦管部の少なくとも一部には、内部の排水を視認可能な視認部が設けられている、請求項７から１３までの何れか１つに記載されたトイレシステム。
【請求項１５】
複数の前記トイレを備え、
前記吸引機構の前記吸引流入口には、複数の前記トイレの前記流出口のうち何れかが選択的に接続される、請求項７から１４までの何れか１つに記載されたトイレシステム。
【請求項１６】
少なくとも一部が前記吸引流入口の下方に配置され、前記吸引流入口から垂れる排水を受ける流入側受け部を備えた、請求項７から１５までの何れか１つに記載されたトイレシステム。
【発明の詳細な説明】
【技術分野】
【０００１】
本発明は、トイレおよびトイレシステムに関する。
【背景技術】
【０００２】
例えば特許文献１には、負圧吸引式のトイレが開示されている。このトイレでは、底部に排出口を有する有底の便器に、接続管路の一端が接続されている。接続管路の他端には、真空タンクが接続されている。真空タンクは、所要の耐圧性を有する容器であり、真空タンクには真空ポンプが取り付けられている。特許文献１に開示されたトイレでは、真空タンクを所定の真空状態にして、真空タンクと接続管路とを開通させることによって、接続管路を通じて、便器に溜まった排水を真空タンクに吸引することができる。
【先行技術文献】
【特許文献】
【０００３】
【特許文献１】特開２０１４−１２５７１９号公報
【発明の概要】
【発明が解決しようとする課題】
【０００４】
以下の説明において、真空タンクと真空ポンプとを併せて吸引機構という。ところで、特許文献１に開示されたトイレでは、１つの吸引機構につき１つの便器が設けられており、吸引機構と便器とは１対１の関係である。特許文献１に開示されたトイレを導入する導入者として、例えば介護施設などの経営者などが考えられ、介護施設では、複数の上記トイレが導入されることがあり得る。複数の上記トイレが導入される場合、複数の吸引機構が導入されることとなる。
【０００５】
しかしながら、吸引機構は比較的に高価であり、複数の便器に対して吸引機構の数は、より少ないことが好ましい。そのため、例えば１つの吸引機構につき、複数の便器が選択的に取り付けることが可能であることが好ましい。その際、吸引機構と便器とは接続し易いことが好ましい。
【０００６】
本発明はかかる点に鑑みてなされたものであり、その目的は、便器に吸引機構を接続し易いトイレ、および、トイレシステムを提供することである。
【課題を解決するための手段】
【０００７】
本発明に係るトイレは、便器と、接続管路と、を備えている。前記便器は、底部に排水が排出される排出口が形成された有底の容器である。前記接続管路は、前記排出口に接続された流入口、前記便器内の排水を吸引する吸引機構に着脱自在に接続される流出口、および、前記流入口と前記流出口とを繋ぐ管状の管路部を有する。前記流出口は、前記便器よりも高い位置に配置されている。
【０００８】
上記トイレによれば、吸引機構が接続される接続管路の流出口は、便器よりも高い位置に配置されているため、使用者は、吸引機構を接続管路に接続する作業を行う際、身体をそれ程屈ませることなく作業を行うことができる。よって、吸引機構を接続管路に接続し易い。
【０００９】
本発明の好ましい一態様によれば、前記流出口は、前記便器よりも後方に配置されている。
【００１０】
上記態様によれば、トイレを使用している使用者の邪魔にならないような位置に流出口を配置することができる。
【００１１】
本発明の好ましい他の一態様によれば、前記流出口は、前記便器の溢れ縁よりも高い位置に配置されている。
【００１２】
仮に流出口が便器の溢れ縁よりも低い位置に配置されている場合、便器内の排水が溢れ縁の位置まで溜まったときに、流出口から排水が溢れ出すおそれがある。しかしながら、上記態様によれば、流出口が便器の溢れ縁よりも高い位置に配置されているため、便器内の排水が溢れ縁の位置まで溜まった場合であっても、流出口から排水が溢れ出し難くすることができる。
【００１３】
本発明の好ましい他の一態様によれば、前記トイレは、背もたれを備えている。前記流出口は、前記背もたれの前端よりも後方に配置されている。
【００１４】
上記態様によれば、背もたれにもたれ掛かっている使用者の後方に流出口が配置される。よって、背もたれにもたれ掛かっている使用者の邪魔になり難い位置に流出口を配置することができる。
【００１５】
本発明の好ましい他の一態様によれば、前記流出口は、上方、斜め上向き、または、側方に向かって開口している。
【００１６】
上記態様によれば、接続管路の流出口に吸引機構が接続されていないとき、流出口から排水が垂れ難い。
【００１７】
本発明の好ましい他の一態様によれば、前記管路部は、少なくとも１つ以上の屈曲部を備えている。
【００１８】
上記態様によれば、接続管路内に排出された排水に含まれる便は、屈曲部の屈曲部分に当たることで粉砕され易い。よって、粉砕された便が含まれた排水を排出することができる。したがって、接続管路が排水で詰まり難くすることができる。
【００１９】
本発明に係るトイレシステムは、上述した何れかのトイレと、前記便器内の排水を吸引する吸引機構と、を備えている。前記吸引機構は、吸引管路と、真空タンクと、真空ポンプとを備えている。前記吸引管路は、前記流出口に着脱自在に接続される吸引流入口を有する。前記真空タンクは、前記吸引管路に接続された吸引口を有する。前記真空ポンプは、前記真空タンクに接続されている。
【００２０】
前記トイレシステムによれば、トイレの便器に溜められた排水を吸引機構によって吸引する際、真空ポンプを作動させることで、接続管路および吸引管路を通じて排水を真空タンクに吸引することができる。
【００２１】
本発明の好ましい他の一態様によれば、前記トイレシステムは、前記吸引管路、前記真空タンクおよび前記真空ポンプを支持する支持台と、前記支持台を移動させる移動手段と、を備えている。
【００２２】
上記態様によれば、吸引機構の吸引管路、真空タンクおよび真空ポンプを支持する支持台は、移動手段によって移動することが可能であるため、トイレの便器に溜められた排水を吸引機構によって排出させる際、支持台をトイレの近くに移動させることで、吸引機構を容易にトイレの近くに移動させることができる。
【００２３】
本発明の好ましい他の一態様によれば、移動手段は、前記支持台の下端に設けられたキャスタである。
【００２４】
上記態様によれば、キャスタを使用して移動手段を容易に実現することができる。
【００２５】
本発明の好ましい他の一態様によれば、前記トイレシステムは、前記タンク排出口を開閉可能な弁を備えている。前記真空タンクは、底部に形成されたタンク排出口を有している。前記支持台における前記真空タンクの下方には、水洗式のトイレの便器である水洗式便器が収容可能な収容空間が形成されている。前記真空タンクの前記タンク排出口は、前記収容空間に向かって開口している。
【００２６】
上記態様によれば、真空タンクに溜められた排水を排出させる際、支持台の収容空間に水洗式便器を収容する。このことで、真空タンクのタンク排出口は、水洗式便器に向かって開口した状態となる。この状態で弁を開放することで、真空タンクに溜められた排水を、タンク排出口を通じて水洗式便器に排出することができる。
【００２７】
本発明の好ましい他の一態様によれば、前記支持台には、前記収容空間と連通し、前記水洗式便器が前記支持台に対して相対的にスライドして通過可能な開口が形成されている。
【００２８】
上記態様によれば、真空タンクに溜められた排水を排出する際、支持台を移動させて、支持台の開口に水洗式便器を通過させることで、収容空間に水洗式便器を収容し易くすることができる。
【００２９】
本発明の好ましい他の一態様によれば、前記トイレシステムは、前記タンク排出口の下方、かつ、前記収容空間に配置され、前記支持台に対して着脱可能に設けられ、前記タンク排出口から垂れる排水を受ける排出側受け部を備えている。
【００３０】
上記態様によれば、収容空間に水洗式便器が配置されていないときに、収容空間に排出側受け部を配置する。よって、排出側受け部によって、タンク排出口から垂れた排水を受けることができる。したがって、タンク排出口から垂れた排水が床面に落ち難くすることができる。
【００３１】
本発明の好ましい他の一態様によれば、前記排出側受け部は、前記支持台に対してスライド可能に構成されている。
【００３２】
上記態様によれば、支持台の開口を通じて収容空間に水洗式便器を配置する際、排水側受け部は、水洗式便器に当接して押し出される。よって、水洗式便器を収容空間に配置することができると共に、排出側受け部をタンク排出口の下方から移動させることができる。
【００３３】
本発明の好ましい他の一態様によれば、前記吸引管路は、前記真空タンクの上下の範囲内において上下に延びた縦管部を有している。前記縦管部の少なくとも一部には、内部の排水を視認可能な視認部が設けられている。
【００３４】
上記態様によれば、真空タンクに溜められた排水の水位と、縦管部内の排水の水位とは同じである。よって、縦管部に設けられた視認部を通じて縦管部内の排水の水位を知ることで、真空タンクの水位を知ることができる。
【００３５】
本発明の好ましい他の一態様によれば、前記トイレシステムは、複数の前記トイレを備えている。前記吸引機構の前記吸引流入口には、複数の前記トイレの前記流出口のうち何れかが選択的に接続される。
【００３６】
上記態様によれば、１つの吸引機構で、複数のトイレの便器に溜められた排水を排出させることができる。
【００３７】
本発明の好ましい他の一態様によれば、前記トイレシステムは、少なくとも一部が前記吸引流入口の下方に配置され、前記吸引流入口から垂れる排水を受ける流入側受け部を備えている。
【００３８】
上記態様によれば、流入側受け部によって、吸引管路にトイレが接続されていないときに、吸引流入口から垂れた排水を受けることができる。よって、吸引流入口から垂れた排水が床面に落ち難くすることができる。
【発明の効果】
【００３９】
本発明によれば、便器に吸引機構を接続し易いトイレ、および、トイレシステムを提供することができる。
【図面の簡単な説明】
【００４０】
【図１】実施形態に係るトイレシステムの概念図である。
【図２】トイレの構成を示す右側面図である。
【図３】トイレを底面から見た斜視図である。
【図４】接続管路の斜視図である。
【図５】吸引機構および支持台の斜視図である。
【図６】吸引機構および支持台の斜視図である。
【図７】吸引機構および真空ポンプの背面図である。
【図８】吸引機構および真空ポンプの平面図である。
【図９】吸引機構および支持台の側面図であり、収容空間に水洗式便器が収容されている状態を示す図である。
【図１０】他の実施形態に係るトイレの構成を示す右側面図である。
【図１１】他の実施形態に係る接続管路の斜視図である。
【図１２】他の実施形態に係る流入側受け部を示す図である。
【図１３】他の実施形態に係る支持台の正面図である。
【図１４】図１３のＸＩＶ−ＸＩＶ線における支持台の平面断面図である。
【発明を実施するための形態】
【００４１】
以下、図面を参照しながら、本発明の実施形態に係るトイレを備えたトイレシステムについて説明する。なお、ここで説明する実施形態は、本発明の実施形態に過ぎず、当然ながら本発明を限定することを意図したものではない。
【００４２】
＜実施形態＞
図１は、本実施形態に係るトイレシステム１００を模式的に示した概念図である。本実施形態では、トイレシステム１００は、負圧吸引式のトレイのシステムである。しかしながら、トイレシステム１００は、加圧式のトイレのシステムであってもよい。本実施形態に係るトイレシステム１００は、複数のトイレ１０と、吸引機構７０と、支持台９０を備えている。
【００４３】
図１では、４つのトイレ１０が図示されているが、トイレ１０の数は特に限定されない。本実施形態では、複数のトイレ１０は、それぞれ同様の構成を有している。そのため、ここでは複数のトイレ１０のうち１つのトイレ１０の構成を詳述する。本実施形態では、トイレ１０は、移動式のトイレであるが、床面などに対して固定された固定式のトイレであってもよい。ここでのトイレ１０は、いわゆるポータブルトイレである。トイレ１０は、主に高齢者および身障者などのいわゆる要介護者に使用されるトイレであり、介護用に好適に使用されるトイレである。
【００４４】
図２は、トイレ１０の構成を示す右側面図である。図２では、トイレ１０に吸引機構７０が接続されている状態が図示されている。図３は、トイレ１０を底面から見た斜視図である。以下の説明において、前、後、左、右は、それぞれ便座に座った利用者から見た方向を意味している。図面中の符号Ｆ、Ｒｒ、Ｌ、Ｒは、それぞれ前、後、左、右を示している。
【００４５】
図２に示すように、トイレ１０は、外枠１１と、便器１２と、接続管路１３とを備えている。外枠１１は、土台２１と、便座２２と、背もたれ２３と、肘掛け２４とを備えている。土台２１は、凡そ矩形の箱状のフレームによって構成されている。土台２１は、便器１２を収容することが可能な空間を有している。図３に示すように、土台２１には、４つの脚２６が上下に延びるようにして設けられている。そのため、土台２１の下方には、空間が形成されている。
【００４６】
図２に示すように、便座２２は、使用者が座るものであり、土台２１の上に配置されている。背もたれ２３は、便座２２に使用者が座ったとき、使用者の背中を支持し得るものであり、使用者がもたれ掛かるものである。背もたれ２３は、土台２１の後側の側面から上方に延びている。背もたれ２３は、便座２２の後方に配置されている。肘掛け２４は、便座２２に座った使用者が肘を付くものである。図３に示すように、肘掛け２４は、便座２２の左方および右方に配置され、かつ、背もたれ２３よりも前方に配置されている。なお、背もたれ２３および肘掛け２４は、土台２１から取り外し可能に構成されている。肘掛け２４および脚２６は、高さを調整する機構を有していてもよい。
【００４７】
図２に示すように、便器１２は、有底の容器である。便器１２には、便などの排泄物を含む排水が溜められる容器であり、いわゆる便鉢（言い換えると、ボウル）を構成している。本実施形態では、便器１２は、プラスチック成形されたものであり、上部が広く開口し、底部に向けて縮径した有底の容器である。便器１２の底部には、下方に向けて開口するように排出口３２が形成されている。排出口３２は、便器１２内に溜まった排水を排出する開口である。便器１２は、排出口３２に向けて縮径している。ここでは、便器１２は、溢れ縁１２ａを有している。溢れ縁１２ａは、便器１２に溜められる排水の水位を規定するものであり、溢れ縁１２ａの高さまで便器１２に排水を溜めることが可能である。溢れ縁１２ａは、便器１２の上縁の中の最も下端に位置する部位のことをいう。
【００４８】
本実施形態では、土台２１の上部が開口しており、便器１２は、土台２１の開口に嵌るように、土台２１の上部に取り付けられている。便器１２が土台２１に取り付けられたとき、便座２２は便器１２の上縁１２ａに沿って配置されている。
【００４９】
図２に示すように、便器１２の下部は、カバー３５によって覆われている。カバー３５は土台２１に取り付けられている。また、本実施形態では、カバー３５の底部には、カバー３５が便器１２を覆っているときに排出口３２と連通する連通孔３６（図３参照）が形成されている。この連通孔３６には、接続管路１３が挿通される。
【００５０】
また、本実施形態では、図３に示すように、土台２１の下部の内部であって、便器１２の下側および後側には、配管スペース３８が設けられている。接続管路１３は、配管スペース３８に配置されている。
【００５１】
図２に示すように、接続管路１３は、便器１２の排出口３２と吸引機構７０とを接続する管路である。ここでは、接続管路１３の一端は、便器１２の排出口３２に接続されている。詳しくは、接続管路１３は、便器１２の排出口３２と、着脱自在の継手（例えばユニオンコネクタ継手）を介して連通している。ただし、接続管路１３は、便器１２と一体成形されていてもよいし、例えば便器１２の排出口３２に嵌め込まれたインナースリーブを介して排出口３２に接続されていてもよい。以下の接続管路１３の説明において、一端とは、便器１２側の端のことをいい、他端とは、吸引機構７０側の端のことをいう。
【００５２】
図４は、接続管路１３の斜視図である。図４に示すように、接続管路１３は、一部が上下に延びた管路である。接続管路１３は、複数の管および複数の継手によって構成され、管および継手を接続したものである。接続管路１３は、流入口４１と、流出口４２と、管路部４３とを有している。流入口４１は、接続管路１３の一端の開口部分を形成しており、便器１２の排出口３２に接続される部分である。流出口４２は、接続管路１３の他端の開口部分を形成しており、図２に示すように、吸引機構７０に着脱自在に接続される部分である。
【００５３】
図４に示すように、管路部４３は、流入口４１と流出口４２とを繋ぐ管状のものである。本実施形態では、管路部４３は、流入端管部４５と、立ち上がり管部４６と、降下管部４７と、流出端管部４８とを有している。流入端管部４５は、接続管路１３の一端部を構成しており、流入口４１が含まれる。流入端管部４５の一端は、便器１２の排出口３２に接続されている。本実施形態では、流入端管部４５は、流入部分５１と第１横部分５２とから構成されている。流入部分５１は、上下に延びており、上端に流入口４１を有している。第１横部分５２は、流入部分５１の下部から後方に向かって延びている。第１横部分５２は、水平方向に延びており、ここでは略前後に延びている。
【００５４】
立ち上がり管部４６は、一端が流入端管部４５の他端（ここでは後端）と連続し、少なくとも一部が流入端管部４５の他端よりも上方において上下に延びている。本実施形態では、立ち上がり管部４６は、第１縦部分５３と第２横部分５４とから構成されている。第１縦部分５３は、第１横部分５２の後部から上方に向かって延びている。第１縦部分５３は垂直方向に延びている。第２横部分５４は、第１縦部分５３の上部から側方に向かって延びている。第２横部分５４は、水平方向に延びており、ここでは左右に延びている。
【００５５】
降下管部４７は、一端が立ち上がり管部４６の他端（ここでは右端）と連続し、少なくとも一部が立ち上がり管部４６の他端よりも下方において上下に延びている。本実施形態では、降下管部４７は、第２縦部分５５と第３横部分５６とから構成されている。第２縦部分５５は、第２横部分５４の右部から下方に向かって延びている。第２縦部分５５は、垂直方向に延びている。第３横部分５６は、第２縦部分５５の下部から側方に向かって延びている。第３横部分５６は、水平方向に延びており、ここでは前後に延びている。
【００５６】
流出端管部４８は、接続管路１３の他端部を構成しており、流出口４２が含まれる。流出端管部４８の一端は降下管部４７の他端（ここでは後端）と連続し、少なくとも一部が降下管部４７の他端よりも上方において上下に延びている。本実施形態では、流出端管部４８は、第３縦部分５７と流出部分５８とから構成されている。第３縦部分５７は、第３横部分５６の後部から上方に向かって延びている。第３縦部分５７は、垂直方向に延びている。流出部分５８は、第３縦部分５７の上部から側方に向かって延びている。流出部分５８は、水平方向に延びており、ここでは前後に延びている。
【００５７】
本実施形態では、図２に示すように、流出部分５８には、流出口４２が含まれ、吸引機構７０が着脱自在に接続される。流出口４２は、側方に向かって開口している。詳しくは、流出口４２は、後方に向かって開口している。しかしながら、流出口４２は、上方に向かって開口していてもよいし、右方または左方に向かって開口していてもよいし、前方に向かって開口していてもよい。また、流出口４２は、斜め上向きに開口していてもよい。流出口４２は、少なくとも下向きに開口していないほうがよい。例えば水平軸と、流出口４２の開口方向に延びた開口軸とがなす角度は、０度〜９０度である。
【００５８】
本実施形態では、接続管路１３の他端の開口である流出口４２は、便器１２よりも高い位置に配置されている。言い換えると、流出口４２は、便器１２よりも上方に配置されている。接続管路１３の他端は、便器１２よりも高い位置に配置されている。流出口４２は、便器１２の溢れ縁１２ａよりも高い位置に配置されている。上述のように、溢れ縁１２ａは、便器１２内に溜めることが可能な排水の量を規定するものであり、便器１２内の排水の水面の最も高い位置は、溢れ縁１２ａと同じ高さの位置である。そのため、流出口４２は、便器１２に溜められる排水の最も高い位置の水面よりも高い位置に配置されている。
【００５９】
また、接続管路１３の他端の流出口４２は、便座２２よりも高い位置に配置されている。本実施形態では、流出口４２は、便器１２よりも後方に配置されている。流出口４２は、便座２２よりも後方に配置され、背もたれ２３（詳しくは背もたれ２３の前端）よりも後方に配置され、かつ、肘掛け２４よりも後方に配置されている。本実施形態では、流出口４２は、背もたれ２３の上端よりも低い位置に配置されている。流出口４２は、肘掛け２４の上端よりも低い位置に配置されている。ただし、流出口４２は、背もたれ２３の上端よりも高い位置に配置されていてもよいし、肘掛け２４の上端よりも高い位置に配置されていてもよい。
【００６０】
次に、吸引機構７０について説明する。図１に示すトイレシステム１００では、１つの吸引機構７０が備えられている。しかしながら、吸引機構７０の数は特に限定されず、複数であってもよい。ただし、吸引機構７０の後述する真空タンク７１の容量によって、１つの吸引機構７０に対するトイレ１０の数は異なる。例えば真空タンク７１の容量が１０Ｌの場合には、吸引機構７０の数は、トイレシステム１００が備えるトイレ１０の数より少なくてもよい。図１では、トイレ１０の数は４つであるため、吸引機構７０の数は、３つ以下であってもよい。
【００６１】
例えば容量が１０Ｌである真空タンク７１を有する１つの吸引機構７０に割り当てられるトイレ１０の数は、以下のようなことを想定して、３つであることが好ましい。真空タンク７１の容量が１０Ｌの場合、真空タンク７１には、９回分の排泄に際して発生する排水を収容することが可能である。ここで、トイレ１０の便器１２に一度（例えば使用者が便座２２に座ってから立ち上がる間）に行った排泄（小便と大便とを含む）を、１回の排泄とする。介護施設などでは、例えば一晩の間、１つのトイレ１０につき３回の排泄が行われ、翌朝に、便器１２内の排水を吸引機構７０によって吸引することが想定される。この場合、１つの吸引機構７０で、３つのトイレ１０に溜められた排水を回収することが可能となる。よって、容量が１０Ｌの真空タンク７１を有する吸引機構７０に対して、３つのトイレ１０が割り当てられることが好ましい。
【００６２】
吸引機構７０は、複数のトイレ１０のうち１つのトイレ１０の接続管路１３に選択的に接続可能であり、吸引機構７０に接続されたトイレ１０の便器１２に排出された排泄物を含む排水を吸引することで、排水を便器１２から排出させる機構である。本実施形態では、吸引機構７０は、真空式の機構であり、後述の真空タンク７１を負圧にすることによって、排水を便器１２から排出させる、ここでの吸引機構７０は、負圧吸引式の機構である。なお、吸引機構７０の具体的な構成は特に限定されない。本実施形態では、吸引機構７０は、図２に示すように、真空タンク７１と、真空ポンプ７２と、吸引管路７３と、排出管路７４と、を備えている。
【００６３】
真空タンク７１は、吸引口７５を有する容器であり、所定の負圧に耐え得る耐圧性と、排水を一時的に収容するための所定の耐食性を有しているとよい。なお、真空タンク７１の形状は特に限定されない。ここでは、真空タンク７１は、円筒状の円筒部分７１ａと、内部に空間を有する外周形状が下方に尖った円錐形状の円錐部分７１ｂとを有している。円錐部分７１ｂは、円筒部分７１ａの下に配置され、円筒部分７１ａと連続している。吸引口７５は、真空タンク７１に排水が入る開口である。なお、吸引口７５の位置は特に限定されないが、ここでは吸引口７５は、真空タンク７１の側面の下部に形成されている。本実施形態では、吸引口７５は、円筒部分７１ａの下部の側面に形成されている。また、本実施形態では、真空タンク７１の底部には、タンク排出口７６が形成されている。ここでは、タンク排出口７６は、円錐部分７１ｂの底面に形成されている。真空ポンプ７２は、真空タンク７１を所定の真空状態にするためのポンプである。真空ポンプ７２は真空タンク７１に接続されている。図示は省略するが、真空ポンプ７２は、例えば圧力計を備え、この圧力計の計測値に基づいて予め定められた負圧を真空タンク７１に形成するものであってもよい。
【００６４】
本実施形態では、真空ポンプ７２には、制御装置７９が通信可能に接続されている。制御装置７９は、真空ポンプ７２の作動を制御するものである。制御装置７９は、マイクロコンピュータからなっている。制御装置７９は、中央処理装置（ＣＰＵ）と、ＣＰＵが実行するプログラムなどを格納したＲＯＭと、ＲＡＭなどを備えている。ここでは、マイクロコンピュータ内に保存されたプログラムを使用して、便器１２内の排水を排出する制御を行う。なお、ここでいうプログラムとは、いわゆるファームウェアのことである。
【００６５】
本実施形態では、制御装置７９には、スイッチ７９ａが通信可能に接続されている。このスイッチ７９ａは、使用者が操作することでＯＮまたはＯＦＦに切り替えられるものである。例えばスイッチ７９ａをＯＮにすることで、真空ポンプ７２が作動し、吸引機構７０に接続されているトイレ１０の便器１２内の排水を吸引することができる。例えばスイッチ７９ａをＯＦＦにすることで、真空ポンプ７２の作動が停止する。このことで、便器１２内の排水の排出動作が停止する。
【００６６】
図２に示すように、吸引管路７３は、トイレ１０の接続管路１３と、真空タンク７１とを繋げるものである。図５および図６は、それぞれ吸引機構７０および支持台９０の斜視図である。図７、図８は、それぞれ吸引管路７３および真空タンク７１の背面図、平面図である。本実施形態では、図８に示すように、吸引管路７３は、吸引流入口８１と、吸引流出口８２と、管路部８３とを有している。吸引流入口８１は、吸引管路７３の一端に設けられており、図２に示すように、トイレ１０の接続管路１３の流出口４２が接続される。なお、吸引管路７３と、トイレ１０の接続管路１３との接続の機構は特に限定されない。例えば吸引管路７３と接続管路１３とは、いわゆるカプラー（図示せず）によって接続されている。吸引流出口８２は、吸引管路７３の他端に設けられており、真空タンク７１の吸引口７５に接続される。
【００６７】
図８に示すように、管路部８３は、吸引流入口８１と吸引流出口８２とを繋ぐものである。本実施形態では、図５に示すように、管路部８３の少なくとも一部は、真空タンク７１の側方において上下に延びている。管路部８３は、背面視において下方に開口したコ字状、言い換えると、背面視において門型に形成されている。ここでは、図８に示すように、管路部８３は、吸引流入端管部８４と、第１吸引横管部８５と、第１吸引縦管部８６（図７参照）と、と、第２吸引横管部８７と、第２吸引縦管部８８（図７参照）と、吸引流出端管部８９とを有している。吸引流入端管部８４は、吸引管路７３の一端部を構成しており、吸引流入口８１が含まれる。吸引流入端管部８４の一端は、接続管路１３の流出口４２（図４参照）に接続される。本実施形態では、吸引流入端管部８４は、可撓性を有する部材によって形成されており、吸引流入端管部８４の撓みによって、吸引流入口８１の開口方向を適宜変更することが可能である。このことによって、吸引流入口８１と、接続管路１３の流出口４２との開口方向を合わせ易く、お互いを接続し易い。
【００６８】
図８に示すように、第１吸引横管部８５は、一端が吸引流入端管部８４の他端（ここでは後端）と連続している。第１吸引横管部８５は、水平方向に延びており、ここでは前後に延びている。ここでは、第１吸引横管部８５は、側面視において真空タンク７１と重なるように、真空タンク７１の側方に配置されている。第１吸引横管部８５は、真空タンク７１の上下の範囲内において上下に延びている。ここで、真空タンク７１の上下の範囲とは、真空タンク７１の上端から下端までの間の上下の位置のことをいう。図６に示すように、第１吸引横管部８５は、真空タンク７１の下部の左方に配置されている。第１吸引縦管部８６は、一端が第１吸引横管部８５の他端（ここでは後端）と連続し、第１吸引横管部８５から上方に向かって延びている。第１吸引縦管部８６は、正面視において真空タンク７１の側方（ここでは左方）において上下に延びている。
【００６９】
図７に示すように、第２吸引横管部８７は、一端が第１吸引縦管部８６の他端（ここでは上端）と連続している。第２吸引横管部８７は、水平方向に延びており、ここでは左右に延びている。第２吸引横管部８７は、正面視において真空タンク７１と重なるように、真空タンク７１の後方に配置されている。第２吸引横管部８７は、第１吸引横管部８５よりも高い位置に配置されている。
【００７０】
第２吸引縦管部８８は、一端が第２吸引横管部８７の他端（ここでは右端）と連続し、第２吸引横管部８７から下方に向かって延びている。第２吸引縦管部８８は、正面視において真空タンク７１の側方において上下に延びている。本実施形態では、第２吸引縦管部８８の他端（ここでは下端）の上下の位置は、真空タンク７１の底の上下の位置と同じである。
【００７１】
図８に示すように、吸引流出端管部８９は、吸引管路７３の他端部を構成しており、吸引流出口８２が含まれる。吸引流出端管部８９の一端は、第２吸引縦管部８８の他端（ここでは下端）と連続し、吸引流出端管部８９の他端は、真空タンク７１の吸引口７５に接続されている。本実施形態では、吸引流出端管部８９は、水平方向に延びており、一部が湾曲している。吸引流出端管部８９の真空タンク７１との接続部分は、真空タンク７１に対して円筒部分７１ａの接線方向に延びていてもよい。
【００７２】
なお、本実施形態では、上述のように、第２吸引縦管部８８の下端の上下の位置は、真空タンク７１の底の上下の位置と同じである。そのため、真空タンク７１に排水が溜められると、同じように第２吸引縦管部８８内に排水が溜まることとなる。真空タンク７１内の排水の水位と、第２吸引縦管部８８内の排水の水位とは同じである。ここで、図７に示すように、第２吸引縦管部８８には、視認部８８ａが設けられている。視認部８８ａは、第２吸引縦管部８８内の排水を使用者が視認することができるものであり、視認部８８ａを通じて真空タンク７１に溜められた排水の水位を知ることができる。第２吸引縦管部８８の少なくとも一部は、内部の排水を視認することができる材料によって形成されており、内部の排水を視認することができる材料によって形成された第２吸引縦管部８８の部分が視認部８８ａとなる。ここで、「内部の排水を視認することができる材料」とは、例えば透明な部材であってもよいし、半透明の部材であってもよい。また、視認部８８ａには、図示しない目盛りが付されていてもよい。
【００７３】
図２に示すように、排出管路７４は、真空タンク７１に接続されており、真空タンク７１内の排水を真空タンク７１の外部に排出する管路である。本実施形態では、排出管路７４は、真空タンク７１の底部に形成されたタンク排出口７６に接続されており、タンク排出口７６から下方に向かって延びている。
【００７４】
なお、本実施形態では、吸引機構７０は、弁７８ａと、開放弁７８ｂと、弁７８ｃと、弁７８ｄとを備えている。弁７８ａは、真空タンク７１の吸引口７５を開閉するものであり、吸引管路７３に設けられている。開放弁７８ｂは、真空タンク７１内の空気を開放させるための弁であり、真空タンク７１に接続された開放管路７８ｅに設けられている。弁７８ｃは、真空タンク７１のタンク排出口７６を開閉するものであり、排出管路７４に設けられている。弁７８ｄは、真空タンク７１と真空ポンプ７２との間に設けられている。なお、弁７８ａ、開放弁７８ｂ、弁７８ｃ、および、弁７８ｄのそれぞれの種類は特に限定されない。弁７８ａ、開放弁７８ｂ、弁７８ｃ、および、弁７８ｄのうちの一部または全部は、使用者によって手動で開閉される弁であってもよいし、電気的に制御される電磁弁であってもよい。
【００７５】
次に、支持台９０について説明する。図５および図６に示すように、支持台９０は、吸引機構７０を支持するものである。ここでは、支持台９０は、真空タンク７１、真空ポンプ７２および吸引管路７３を少なくとも支持する。本実施形態では、支持台９０は複数のフレームによって構成されている。支持台９０は、前横フレーム９１と、後横フレーム９２とを備えている。前横フレーム９１および後横フレーム９２は、前後に並んで配置されており、共に左右に延びている。ここでは、前横フレーム９１と後横フレーム９２には、支持板９３が架け渡されており、支持板９３に真空タンク７１が支持されている。ここでは、真空タンク７１は、支持板９３に載置されている。図示は省略するが、支持板９３には、挿入口が形成されており、この挿入口には、真空タンク７１から下方に延びた排出管路７４（図２参照）が挿入されている。
【００７６】
本実施形態では、真空ポンプ７２、および、吸引管路７３の第１吸引横管部８５は、それぞれ前横フレーム９１と後横フレーム９２とに架け渡されており、前横フレーム９１および後横フレーム９２に支持されている。しかしながら、真空ポンプ７２、および、吸引管路７３の一部は、支持板９３に載置されていてもよい。
【００７７】
本実施形態では、支持台９０は、左前脚９３ａと、右前脚９３ｂと、左後脚９３ｃと、右後脚９３ｄとを備えている。左前脚９３ａ、右前脚９３ｂ、左後脚９３ｃおよび右後脚９３ｄは、それぞれ上下に延びたものであり、上下の長さが同じである。また、左前脚９３ａ、右前脚９３ｂ、左後脚９３ｃおよび右後脚９３ｄは、それぞれ前横フレーム９１および後横フレーム９２を支持する。左前脚９３ａは、前横フレーム９１の左端から下方に延びている。右前脚９３ｂは、前横フレーム９１の右端から下方に延びている。左後脚９３ｃは、後横フレーム９２の左端から下方に延びている。右後脚９３ｄは、後横フレーム９２の右端から下方に延びている。
【００７８】
支持台９０は、移動可能なものである。本実施形態では、支持台９０は、移動手段の一例であるキャスタ９４を備えている。キャスタ９４は、左前脚９３ａ、右前脚９３ｂ、左後脚９３ｃおよび右後脚９３ｄのそれぞれの下端に設けられている。
【００７９】
本実施形態では、左前脚９３ａと左後脚９３ｃとは、前後に延びた左連結フレーム９５ａによって互いが連結している。右前脚９３ｂと右後脚９３ｄとは、前後に延びた右連結フレーム９５ｂによって互いが連結している。また、左後脚９３ｃと右後脚９３ｄとは、左右に延びた後連結フレーム９５ｃによって互いが連結している。しかしながら、左前脚９３ａと右前脚９３ｂとは連結されておらず、上述のような連結フレームは設けられていない。本実施形態では、左前脚９３ａと右前脚９３ｂとの間には、開口９６が形成されている。ここで、「開口」とは、連結フレームが設けられていない、開かれていることをいう。
【００８０】
本実施形態では、前横フレーム９１および後横フレーム９２の下方、すなわち、真空タンク７１の下方には、収容空間９７が形成されている。この収容空間９７は、前横フレーム９１、後横フレーム９２、脚９３ａ〜９３ｄ、および、連結フレーム９５ａ〜９５ｃによって囲まれた空間であり、開口９６と連通している。
【００８１】
図９は、吸引機構７０および支持台９０の右側面図であり、収容空間９７に水洗式便器１５０が収容されている状態を示す図である。なお、図９では、吸引機構７０の真空ポンプ７２および吸引管路７３の図示は省略されている。ここでは、図９に示すように、開口９６（図６参照）には、水洗式便器１５０が支持台９０に対して相対的にスライドして通過することが可能であり、収容空間９７には水洗式便器１５０が収容可能である。ここで「水洗式便器１５０が収容可能」には、水洗式便器１５０の全体が収容空間９７に収容されている状態の他、水洗式便器１５０の一部が収容空間９７に収容されている状態も含まれるものとする。
【００８２】
本実施形態では、左前脚９３ａと右前脚９３ｂとの間の距離は、水洗式便器１５０の左右の長さよりも長い。ここでは、左前脚９３ａと右前脚９３ｂとの間の距離は、トイレ１０の便器１２（図２参照）の左右の長さよりも長い。また、脚９３ａ〜９３ｄの上下の長さは、床面から水洗式便器１５０の上端までの長さよりも長い。ここでは、脚９３ａ〜９３ｄの上下の長さは、床面から便器１２の上端までの長さよりも長い。
【００８３】
なお、収容空間９７に収容されるものは、水洗式便器１５０に限定されず、例えばバケツなどの容器であってもよい。この場合、収容空間９７に上記容器を収容し、真空タンク７１に溜められた排水を上記容器に排出する。使用者は、上記容器を運んで排水を捨てる。
【００８４】
本実施形態では、支持台９０は、図５に示すように、左後脚９３ｃの上端から上方に延びた左縦フレーム９８ａと、右後脚９３ｄの上端から上方に延びた右縦フレーム９８ｂとを備えている。更に、支持台９０は、左縦フレーム９８ａと右縦フレーム９８ｂとの間において、左縦フレーム９８ａと右縦フレーム９８ｂとに連結された取っ手９９を備えている。使用者は、取っ手９９を持って支持台９０を押したり引いたりすることで、吸引機構７０を移動させることができる。
【００８５】
なお、図示は省略するが、支持台９０は、真空タンク７１、真空ポンプ７２を少なくとも覆うカバーを備えていてもよい。
【００８６】
次に、本実施形態に係るトイレシステム１００の使用方法について説明する。本実施形態では、１つの吸引機構７０で、複数のトイレ１０の便器１２に溜められた排水を吸引することが可能である。使用者は、吸引機構７０を支持台９０に載せて移動することが可能であるため、便器１２に溜められた排水を吸引する対象となるトイレ１０の位置まで吸引機構７０を移動させることができる。
【００８７】
そして、図２に示すように、吸引対象となるトイレ１０の接続管路１３の流出口４２と、吸引機構７０の吸引管路７３の吸引流入口８１とを接続することで、接続管路１３と吸引機構７０とを接続する。従来では、流出口４２は便器１２の上縁１２ａよりも低い位置に配置されていた。そのため、使用者は、接続管路１３と吸引機構７０とを接続する際、膝を床面に付けた状態や、腰を低くする、または、身体をより屈ませた状態などの身体に負担が掛かった状態で接続作業を行っていた。しかしながら、本実施形態では、流出口４２は、便器１２よりも高い位置に配置されている。そのため、従来と比較して、身体をそれ程屈ませることなく身体に負担が掛からない状態で、接続管路１３と吸引機構７０とを接続する作業を行うことができる。また、本実施形態では、流出口４２は、便器１２、背もたれ２３、肘掛け２４よりも後方に配置されている。そのため、便器１２、背もたれ２３、肘掛け２３が邪魔になることなく、トイレ１０の後方から接続管路１３と吸引機構７０とを接続することができる。
【００８８】
このように、トイレ１０の便器１２と吸引機構７０とを接続した後、便器１２に溜められた排水を、吸引機構７０の真空タンク７１内に排出させる。便器１２に溜められた排水を排出する手順は以下の通りである。
【００８９】
まず、真空ポンプ７２を作動させる。本実施形態では、図２に示すように、使用者が操作するスイッチ７９ａが制御装置７９を介して真空ポンプ７２に接続されており、そのスイッチ７９ａを押すことで真空ポンプ７２が作動する。ここでは、真空ポンプ７２が作動する前において、弁７８ａ、開放弁７８ｂおよび弁７８ｃは閉じられており、真空タンク７１の吸引口７５およびタンク排出口７６は、閉鎖された状態である。真空ポンプ７２と真空タンク７１との間に設けられた弁７８ｄは、真空ポンプ７２が真空タンク７１内の空気を吸い、負圧を形成する際には開放されている。
【００９０】
この状態で真空ポンプ７２が作動すると、真空タンク７１は、真空ポンプ７２によって空気が吸い出され、予め定められた圧力（例えば、絶対圧で大凡０．０８ＭＰａ以下）まで減圧される。弁７８ｄは、予め定められた圧力まで減圧され、かつ、真空タンク７１に排水が吸引される際には閉じられる。予め定められた圧力まで減圧された真空タンク７１の吸引口７５を開閉する弁７８ａが開放されると、便器１２に溜まった排水が真空タンク７１に吸引される。ここで、真空タンク７１に排水が吸引される際には、真空ポンプ７２に設けられた弁７８ｄが閉じられているため、真空ポンプ７２に排水が入るのが防止される。以上のようにして、便器１２内の排水を真空タンク７１に排出させることができる。なお、真空タンク７１に排出された排水は、真空タンク７１内に溜められる。
【００９１】
このように便器１２内の排水を真空タンク７１に排出させた後、接続管路１３から吸引機構７０を取り外す。接続管路１３から吸引機構７０を取り外す場合であっても、従来と比較して、使用者は、身体をそれ程屈ませることなく身体に負担が掛からない状態で上記の取り外し作業を行うことができる。よって、接続管路１３から吸引機構７０を取り外し易い。なお、接続管路１３から吸引機構７０を取り外した後、他のトイレ１０の便器１２内の排水を真空タンク７１に排出させる。この場合、他のトイレ１０の位置まで支持台９０を移動させることで、吸引機構７０を他のトイレ１０の位置まで移動させることができる。その後、他のトイレ１０の接続管路１３に吸引機構７０を接続し、便器１２内の排水を真空タンク７１に排出させる。
【００９２】
本実施形態では、使用者は、吸引機構７０の吸引管路７３の第２吸引縦管部８８に設けられた視認部８８ａ（図７参照）を通じて真空タンク７１に溜められた排水の量を知ることができる。そのため、使用者は、視認部８８ａを通じて真空タンク７１に溜められた排水が満杯になり得ることを知ることができるため、排水が満杯になる前に排水を捨てることができる。真空タンク７１に溜められた排水を捨てる場合には、図９に示すように、真空タンク７１内の排水を水洗式トイレの水洗式便器１５０に排出する。この場合、まず支持台９０を移動させることで、吸引機構７０を水洗式便器１５０の近くまで移動させる。そして、支持台９０の開口９６に水洗式便器１５０を通過させて、収容空間９７に水洗式便器１５０を収容する。このことで、吸引機構７０の排出管路７４の下方に水洗式便器１５０が配置された状態となり、真空タンク７１のタンク排出口７６は、水洗式便器１５０に向かって開口した状態となる。
【００９３】
収容空間９７に水洗式便器１５０を収容した状態で、排出管路７４に設けられた弁７８ｃを開放させる。このことで、真空タンク７１内に溜まった排水は、排出管路７４を通じて、水洗式便器１５０に排出される。また、弁７８ｃを開けて真空タンク７１のタンク排出口７６を開放させた際には、真空タンク７１の開放弁７８ｂが開かれる。このことによって、真空タンク７１に溜まった排水が排出管路７４に流れ易くなる。このようにして、真空タンク７１に溜まった排水を排出することができる。
【００９４】
以上、本実施形態に係るトイレ１０において、図２に示すように、吸引機構７０が接続される接続管路１３の流出口４２は、便器１２よりも高い位置に配置されている。このことによって、使用者は、吸引機構７０を接続管路１３に接続する作業を行う際、身体をそれ程屈ませることなく接続の作業を行うことができる。よって、吸引機構７０を接続管路１３に接続し易い。
【００９５】
仮に吸引機構の吸引管路の流出口が便器１２の溢れ縁１２ａよりも低い位置に配置されている場合、便器１２内の排水が溢れ縁１２ａの位置まで溜まったときに、流出口から排水が溢れ出すおそれがある。しかしながら、本実施形態では、図２に示すように、流出口４２が便器１２の溢れ縁１２ａよりも高い位置に配置されている。そのため、便器１２内の排水が溢れ縁１２ａの位置まで溜まった場合であっても、流出口４２から排水が溢れ出し難くすることができる。
【００９６】
また本実施形態では、トイレ１０は、便器１２上に配置可能な便座２２を備えている。流出口４２は、便器１２上に便座２２が配置されているとき、便座２２よりも高い位置に配置されている。このことで、使用者は、吸引機構７０を接続管路１３に接続する作業を行う際、身体をより屈ませることなく作業を行うことができる。よって、吸引機構７０を接続管路１３に接続する作業をより行い易い。
【００９７】
本実施形態では、流出口４２は、便器１２よりも後方に配置されている。そのため、トイレ１０を使用している使用者の邪魔にならないような位置に流出口４２を配置することができる。
【００９８】
本実施形態では、流出口４２は、背もたれ２３の前端よりも後方に配置されている。このことによって、背もたれ２３にもたれ掛かっている使用者の後方に流出口４２が配置される。よって、背もたれ２３にもたれ掛かっている使用者の邪魔になり難い位置に流出口４２を配置することができる。
【００９９】
本実施形態では、流出口４２は、側方に向かって開口している。ただし、流出口４２は、斜め上向き、または上方に向かって開口していてもよい。このことによって、接続管路１３の流出口４２に吸引機構７０が接続されていないとき、流出口４２から排水が垂れ難い。流出口４２の開口向きが側方に近いほど、流出口４２に接続される吸引管路７３の立ち上がりを少なくすることができ、重力による吸引抵抗力を減らすことができる。
【０１００】
本実施形態では、図４に示すように、管路部４３は、流入端管部４５と、立ち上がり管部４６と、降下管部４７と、流出端管部４８と、を備えている。流入端管部４５は、流入口４１を有し、一端が排出口３２に接続されている。立ち上がり管部４６は、一端が流入端管部４５の他端と連続し、少なくとも一部が流入端管部４５の他端よりも上方において上下に延びている。降下管部４７は、一端が立ち上がり管部４６の他端と連続し、少なくとも一部が立ち上がり管部４６の他端よりも下方において上下に延びている。流出端管部４８は、一端が降下管部４７の他端と連続し、流出口４２を有し、少なくとも一部が降下管部４７の他端よりも上方において上下に延びている。立ち上がり管部４６と降下管部４７によって、便器１２に溜められる排水の水位を規定することができる。よって、排水をスムーズに接続管路１３から吸引機構７０へ引き込むことができる。本実施形態では、便器１２に溜まる排水の水位は、立ち上がり管部４６の上端、および、降下管部４７の上端の高さによって規定される。便器１２内の排水の水位は、立ち上がり管部４６の上端の高さ、および、降下管部４７の上端の高さより高い位置にはならない。
【０１０１】
本実施形態では、図２に示すように、吸引機構７０は、吸引管路７３と、真空タンク７１と、真空ポンプ７２とを備えている。吸引管路７３は、流出口４２に着脱自在に接続される吸引流入口８１を有する。真空タンク７１は、底部に形成されたタンク排出口７６、および、吸引管路７３に接続された吸引口７５を有する。真空ポンプ７２は、真空タンク７１に接続されている。トイレ１０の便器１２に溜められた排水を吸引機構７０によって吸引する際、真空ポンプ７２を作動させることで、便器１２に溜められた排水を接続管路１３および吸引管路７３を通じて真空タンク７１に吸引することができる。
【０１０２】
本実施形態では、トイレシステム１００は、図６に示すように、吸引管路７３、真空タンク７１および真空ポンプ７２が支持される支持台９０と、支持台９０を移動させる移動手段の一例のキャスタ９４と、を備えている。このことによって、吸引機構７０の吸引管路７３、真空タンク７１および真空ポンプ７２を支持する支持台９０は、キャスタ９４によって移動することが可能である。そのため、トイレ１０の便器１２に溜められた排水を吸引機構７０によって排出させる際、支持台９０をトイレ１０の近くに移動させることで、吸引機構７０を容易にトイレ１０の近くに移動させることができる。本実施形態では、吸引機構７０を移動させ易いため、真空タンク７１の排水を捨てる際、使用者はバケツなどの容器に排水を排出させ、排水が溜められた容器を運んで排水を捨てなくてもよい。よって、排水が溜められた容器を運ぶ必要がないため、排水の臭気が広がることを抑えつつ、排水を捨てる作業を行い易い。また本実施形態では、キャスタ９４を使用することで、上記移動手段を容易に実現することができる。
【０１０３】
本実施形態では、トイレシステム１００は、図２に示すように、タンク排出口７６を開閉可能な弁７８ｃを備えている。図９に示すように、真空タンク７１が支持台９０に支持されているとき、支持台９０における真空タンク７１の下方には、水洗式のトイレの便器である水洗式便器１５０が収容可能な収容空間９７が形成されている。真空タンク７１のタンク排出口７６は、収容空間９７に向かって開口している。このことによって、真空タンク７１に溜められた排水を排出させる際、支持台９０の収容空間９７に水洗式便器１５０を収容する。このことで、真空タンク７１のタンク排出口７６は、水洗式便器１５０に向かって開口した状態となる。この状態で弁７８ｃを開放することで、真空タンク７１に溜められた排水を、タンク排出口７６を通じて水洗式便器１５０に排出することができる。本実施形態では、真空タンク７１内の排水は、水洗式便器１５０に排出されるため、水洗式便器１５０を操作することで、排水を容易に捨てることができる。
【０１０４】
本実施形態では、図６に示すように、支持台９０には、収容空間９７と連通し、水洗式便器１５０が支持台９０に対して相対的にスライドして通過可能な開口９６が形成されている。このことによって、真空タンク７１に溜められた排水を排出する際、支持台９０を移動させて、支持台９０の開口９６に水洗式便器１５０を通過させる。このことで、真空タンク７１を持ち上げるなどの作業を行うことなく、収容空間９７に水洗式便器１５０を収容し易くすることができる。
【０１０５】
本実施形態では、吸引管路７３は、図７に示すように、側面視において真空タンク７１と重なる位置において上下に延びた第２吸引縦管部８８を有している。第２吸引縦管部８８の少なくとも一部には、内部の排水を視認可能な視認部８８ａが設けられている。真空タンク７１に溜められた排水の水位と、第２吸引縦管部８８内の排水の水位とは同じである。よって、第２吸引縦管部８８に設けられた視認部８８ａを通じて第２吸引縦管部８８内の排水の水位を知ることで、真空タンク７１の水位を知ることができる。そのため、視認部８８ａを通じて真空タンク７１が満杯になり得ることを知ることができる。したがって、真空タンク７１から排水が溢れる前に、真空タンク７１内の排水を捨てる作業を行うことができる。
【０１０６】
本実施形態では、図１に示すように、トイレシステム１００は、複数のトイレ１０を備えている。吸引機構７０の吸引流入口８１には、複数のトイレ１０の流出口４２のうち何れかが選択的に接続される。このことによって、１つの吸引機構７０で、複数のトイレ１０の便器１２に溜められた排水を排出させることができる。
【０１０７】
＜他の実施形態＞
次に、他の実施形態に係るトイレシステム１００Ａについて説明する。なお、以下の説明では、既に説明した構成と同様の構成には同じ符号を付し、その説明は適宜省略することとする。
【０１０８】
図１０は、他の実施形態に係るトイレ１０Ａの構成を示す右側図である。図１０に示すように、トイレシステム１００Ａは、トイレ１０Ａと、吸引機構７０とを備えている。トイレ１０Ａは、外枠１１と、便器１２と、接続管路１１３とを備えている。
【０１０９】
本実施形態に係る接続管路１１３は、便器１２の排出口３２と吸引機構７０とを接続する管路である。接続管路１１３は、流入口１４１と、流出口１４２と、管路部１４３とを有している。流入口１４１は、便器１２の排出口３２に接続されている。流出口１４２は、吸引機構７０に着脱自在に接続される。流出口１４２は、上方に向かって開口している。また、流出口１４２は、便器１２よりも高い位置に配置されており、詳しくは便器１２の溢れ縁１２ａよりも高い位置に配置されている。流出口１４２は、便器１２よりも後方に配置され、背もたれ２３（詳しくは背もたれ２３の前端）よりも後方に配置され、かつ、肘掛け２４よりも後方に配置されている。
【０１１０】
図１１は、接続管路１１３の斜視図である。図１１に示すように、管路部１４３は、流入口１４１と流出口１４２とを繋ぐ管状のものである。本実施形態では、管路部１４３は、第１屈曲管部１４５と、第２屈曲管部１４６と、横管部１４７と、第３屈曲管部１４８と、縦管部１４９とを有している。第１屈曲管部１４５は、接続管路１１３の一端部を構成しており、例えば屈曲したエルボ管によって構成されている。ここでは、第１屈曲管部１４５は、一端部が上下に延びており、一端（ここでは上端）に流入口１４１を有している。また、第１屈曲管部１４５の他端部は左右に延びている。第２屈曲管部１４６は、屈曲したエルボ管によって構成されており、第１屈曲管部１４５の他端（ここでは右端）と連続している。ここでは、第２屈曲管部１４６の一端部は左右に延びており、第２屈曲管部１４６の他端部は前後に延びている。
【０１１１】
横管部１４７は、第２屈曲管部１４６の他端（ここでは後端）と連続している。横管部１４７は水平方向、ここでは前後に延びている。第３屈曲管部１４８は、横管部１４７の他端（ここでは後端）と連続しており、屈曲したエルボ管によって構成されている。ここでは、第３屈曲管部１４８の一端部は前後に延びており、第３屈曲管部１４８の他端部は上下に延びている。縦管部１４９は、第３屈曲管部１４８の他端（ここでは上端）と連続しており、上下に延びている。縦管部１４９は、他端に流出口１４２を有している。
【０１１２】
このように、本実施形態では、接続管路１１３の管路部１４３は、３つの屈曲した屈曲管部１４５、１４６、１４８を有している。また管路部１４３の一部が上下に延びている。屈曲管部１４５、１４６、１４８は、屈曲部の一例である。屈曲管部１４５、１４６、１４８の数は、３つに限定されず、１つであってもよいし、２つであってもよいし、４つ以上であってもよい。また本実施形態では、屈曲管部１４５、１４６、１４８のそれぞれの屈曲角度は９０度であるが、上記屈曲角度は９０度に限定されない。
【０１１３】
このように、接続管路１１３の管路部１４３が屈曲管部１４５、１４６、１４８を有していることで、接続管路１１３内に排出された排水に含まれる便は、屈曲管部１４５、１４６、１４８の屈曲部分に当たることで粉砕され易い。よって、粉砕された便が含まれた排水を吸引機構７０に排出することができる。よって、接続管路１１３および吸引機構７０において詰まり難くすることができる。
【０１１４】
図１２は、流入受け部１０１を示す斜視図である。図１２に示すように、トイレシステム１００Ａは、流入側受け部１０１を備えていてもよい。吸引機構７０の吸引管路７３にトイレ１０Ａ（詳しくは接続管１１３（図１０参照））が接続されていないとき、吸引管路７３の吸引流入口８１から、吸引管路７３に残った排水が垂れることがあり得る。流入側受け部１０１は、吸引流入口８１から垂れた排水を受ける部材である。流入側受け部１０１の種類や形状などは特に限定されない。流入側受け部１０１は、例えば有底の容器であり、吸引管路７３にトイレ１０Ａが接続されていないとき、吸引管路７３の一部（例えば吸引流入口８１が形成された端部）を収容することが可能なものである。流入側受け部１０１の少なくとも一部（ここでは底部）は、吸引流入口８１の下方に配置されている。流入側受け部１０１は、吸引機構７０を使用していないとき、吸引管路７３を支持する部材として機能する。
【０１１５】
また、流入側受け部１０１が設けられる位置も特に限定されない。流入側受け部１０１は、例えば支持台９０に取り付けられている。流入側受け部１０１は、支持台９０に対して取り付け位置を変更可能に構成されていてもよい。このことで、吸引流入口８１の位置に応じて、流入側受け部１０１の位置を変更することができる。
【０１１６】
本実施形態では、流入側受け部１０１によって、吸引管路７３にトイレ１０Ａが接続されていないときに、吸引流入口８１から垂れた排水を受けることができる。よって、吸引流入口８１から垂れた排水が床面に落ち難くすることができる。
【０１１７】
図１３は、支持台９０の正面図である。図１４は、図１３のＸＩＶ−ＸＩＶ線における支持台９０の平面断面図である。図１３に示すように、トイレシステム１００Ａは、排出側受け部１１０を備えていてもよい。本実施形態では、吸引機構７０の真空タンク７１のタンク排出口７６は、収容空間９７に向かって下方に開口しており、タンク排出口７６に接続された排出管路７４も収容空間９７に向かって開口している。そのため、収容空間９７に水洗式便器１５０（図９参照）が配置されていないとき、タンク排出口７６から排出された排水が排出管路７４から垂れることがあり得る。
【０１１８】
排出側受け部１１０は、タンク排出口７６から垂れた排水を受ける部材である。排出側受け部１１０は、タンク排出口７６の下方、かつ、収容空間９７に配置されており、支持台９０に対して着脱可能に設けられている。なお、排出側受け部１１０の種類や形状は特に限定されない。排出側受け部１１０は、支持台９０に支持された部材であり、例えば水平方向に延びた容器状の部材である。
【０１１９】
図１４に示すように、排出側受け部１１０は、支持台９０に対して矢印Ａの方向にスライド可能に構成されている。ここでは、排出側受け部１１０は、前後方向、言い換えると支持台９０の開口９６に向かう方向にスライド可能に構成されている。本実施形態では、支持台９０の左前脚９３ａと左後脚９３ｃとに架け渡された左レール１１１ａ、および、支持台９０の右前脚９３ｂと右後脚９３ｄとに架け渡された右レール１１１ｂが支持台９０に設けられている。左レール１１１ａおよび右レール１１１ｂは、対向している。排出側受け部１１０は、レール１１１ａ、１１１ｂにスライド可能に係合しており、レール１１１ａ、１１１ｂに沿って前後に移動可能である。
【０１２０】
なお、レール１１１ａ、１１１ｂは、前後に延びる伸縮式のレールであってもよい。この場合、図示は省略するが、レール１１１ａ、１１１ｂは、それぞれ前後に延びた第１レールと、第１レールに係合し、前後に延びた第２レールとを有している。排出側受け部１１０は、第２レールに係合している。このことによって、第１レールに対して第２レールがスライドしたとき、第２レールの少なくとも一部は、第１レールよりも前方または後方に延びた状態となる。よって、第２レールに係合している排出側受け部１１０を、収容空間９７よりも前方または後方に配置することができる。
【０１２１】
本実施形態では、収容空間９７に水洗式便器１５０が配置されていないとき、排出側受け部１１０は、タンク排出口７６の下方、言い換えると排出管路７４の下方に配置されている。吸引機構７０の真空タンク７１に溜められた排水を捨てる場合には、上述のように、真空タンク７１内の排水を水洗式トイレの水洗式便器１５０（図９参照）に排出する。この場合、まず支持台９０を移動させることで、吸引機構７０を水洗式便器１５０の近くまで移動させる。そして、支持台９０の開口９６に水洗式便器１５０を通過させて、収容空間９７に水洗式便器１５０を収容する。
【０１２２】
このように開口９６に水洗式便器１５０を通過させるとき、水洗式便器１５０に排出側受け部１１０が当接する。この状態で支持台９０が水洗式便器１５０に向かって更に移動することで、水洗式便器１５０が排出側受け部１１０を後方に押し出す。このとき、排出側受け部１１０は、レール１１１ａ、１１１ｂに沿ってスライドする。このことで、水洗式便器１５０を収容空間９７に配置することができると共に、排出側受け部１１０をタンク排出口９６の下方から移動させることができる。
【０１２３】
本実施形態では、排出側受け部１１０によって、タンク排出口７６から垂れた排水を受けることができる。よって、タンク排出口７６から垂れた排水が床面に落ち難くすることができる。排出側受け部１１０は、支持台９０に対して着脱可能であるため、排出受け部１１０が汚れたとき、支持台９０から排出側受け部１１０を取り外して洗浄することができる。
【符号の説明】
【０１２４】
１０  トイレ
１２  便器
１３  接続管路
２２  便座
２３  背もたれ
３２  排出口
４１  流入口
４２  流出口
４３  管路部
７０  吸引機構
７１  真空タンク
７２  真空ポンプ
７３  吸引管路
７５  吸引口
７６  タンク排出口
８１  吸引流入口
９０  支持台
９４  キャスタ（移動手段）
１００  トイレシステム
【図１】
2020180474.tif 000003
【図２】
2020180474.tif 000004
【図３】
2020180474.tif 000005
【図４】
2020180474.tif 000006
【図５】
2020180474.tif 000007
【図６】
2020180474.tif 000008
【図７】
2020180474.tif 000009
【図８】
2020180474.tif 000010
【図９】
2020180474.tif 000011
【図１０】
2020180474.tif 000012
【図１１】
2020180474.tif 000013
【図１２】
2020180474.tif 000014
【図１３】
2020180474.tif 000015
【図１４】
2020180474.tif 000016